(57)【要約】【課題】浴槽の外側面に連続した状態に容易に取り付けることができる浴室用カウンター及びその取付方法を提供する。【解決手段】浴室用カウンター５０は浴槽に連続して取り付ける。浴室用カウンター５０は、天板６０と、浴室の壁部Ｗ１に取り付けて天板６０を支持し、浴槽１０側の端部から浴槽１０側に延びて浴槽１０の外側面に当接する位置決め部７１Ａを有したブラケット７１とを備えている。【選択図】図２
2014133068.tif 000002
【特許請求の範囲】
【請求項１】
浴槽に連続して取り付ける浴室用カウンターであって、
天板と、
浴室の壁部に取り付けて前記天板を支持し、前記浴槽側の端部から前記浴槽側に延びて前記浴槽の外側面に当接する位置決め部を有したブラケットとを備えていることを特徴とする浴室用カウンター。
【請求項２】
前記天板は下方に突出した凸部を有しており、
前記ブラケットは、前記凸部が当接することによって、前記天板が前記浴槽側に寄り過ぎないようにするストッパー部を有していることを特徴とする請求項１記載の浴室用カウンター。
【請求項３】
前記ブラケットは前記天板の浴槽側端部を前記浴槽の外側面に当接させる方向に弾性力を付与する押圧部を有していることを特徴とする請求項１又は２記載の浴室用カウンター。
【請求項４】
請求項１乃至３のいずれか１項記載の浴室用カウンターの取付方法であって、
前記位置決め部を浴槽の外側面に当接し、所定の位置に前記ブラケットを取り付ける第１工程と、
前記浴槽の外側面に前記天板の浴槽側端部を当接しつつ前記ブラケットに前記天板を載置して固定する第２工程とを備えていることを特徴とする浴室用カウンターの取付方法。
【発明の詳細な説明】
【技術分野】
【０００１】
本発明は浴室用カウンター及びその取付方法に関する。
【背景技術】
【０００２】
特許文献１は従来の浴室用カウンターを開示している。この浴室用カウンターは、天板と、浴室の壁部に取り付けて天板を支持するブラケットとを備えている。天板は、上面部と、上面部の後端縁から下方に延びた後スカート部と、上面部の前端縁から下方に延びた前スカート部とを有している。ブラケットは天板の後スカート部を壁部に押圧する押圧部を有している。このため、この浴室用カウンターは天板と浴室の壁部との間の隙間の発生を抑制することができる。
【先行技術文献】
【特許文献】
【０００３】
【特許文献１】特開２００９−６１２１８号公報
【発明の概要】
【発明が解決しようとする課題】
【０００４】
しかし、特許文献１の浴室用カウンターは、浴室の壁部に沿った方向に対する天板の取付位置を調整する構造を有していない。このため、浴室の壁部に沿った方向に対する天板の取付位置はブラケットの壁部に対する取付位置に依存する。よって、浴槽の外側面に天板の浴槽側端部を当接させて浴室用カウンターを取り付ける場合、ブラケットを正確な位置に取り付けなければならず、手間を要する。
【０００５】
本発明は、上記従来の実情に鑑みてなされたものであって、浴槽の外側面に連続した状態に容易に取り付けることができる浴室用カウンター及びその取付方法を提供することを解決すべき課題としている。
【課題を解決するための手段】
【０００６】
本発明の浴室用カウンターは、浴槽に連続して取り付ける浴室用カウンターであって、
天板と、
浴室の壁部に取り付けて前記天板を支持し、前記浴槽側の端部から前記浴槽側に延びて前記浴槽の外側面に当接する位置決め部を有したブラケットとを備えていることを特徴とする。
【０００７】
本発明の浴室用カウンターの取付方法は、前記位置決め部を浴槽の外側面に当接し、所定の位置に前記ブラケットを取り付ける第１工程と、
前記浴槽の外側面に前記天板の浴槽側端部を当接しつつ前記ブラケットに前記天板を載置して固定する第２工程とを備えていることを特徴とする。
【０００８】
この浴室用カウンターは、ブラケットに位置決め部を有しているため、ブラケットを浴槽の外側面から所定の位置に容易に取り付けることができる。そして、天板の浴槽側端部を浴槽の外側面に当接しつつ所定の位置に取り付けたブラケットに対して天板を載置しつつ容易に固定することができる。
【０００９】
したがって、本発明の浴室用カウンター及びその取付方法は、浴室用カウンターを浴槽の外側面に連続した状態に容易に取り付けることができる。
【図面の簡単な説明】
【００１０】
【図１】実施例１及び２の浴室用カウンターを示す正面図である。
【図２】実施例１の浴室用カウンターを示す分解図である。
【図３】実施例１の浴室用カウンターを構成する第１ブラケットを示す斜視図である。
【図４】実施例１の浴室用カウンターを示す断面図である。
【図５】実施例１の浴室用カウンターの要部を示す断面図である。
【図６】実施例２の浴室用カウンターを構成する第１ブラケットを示す斜視図である。
【図７】実施例２の浴室用カウンターの要部を示す断面図である。
【発明を実施するための形態】
【００１１】
本発明における好ましい実施の形態を説明する。
【００１２】
本発明の浴室用カウンターにおいて、前記天板は下方に突出した凸部を有しており、前記ブラケットは、前記凸部が当接することによって、前記天板が前記浴槽側に寄り過ぎないようにするストッパー部を有し得る。この場合、天板の凸部がブラケットのストッパー部よりも浴槽側に位置しないため、天板の浴槽側端部と浴槽の外側面との当接部に過剰な応力が生じず、天板の浴槽側端部と浴槽の外側面とを適切に当接した状態で天板を取り付けることができる。
【００１３】
本発明の浴室用カウンターにおいて、前記ブラケットは前記天板の浴槽側端部を前記浴槽の外側面に当接させる方向に弾性力を付与する押圧部を有し得る。この場合、押圧部によって、天板の浴槽側端部を浴槽の外側面に確実に当接させることができる。また、仮に、天板が熱膨張等で収縮したとしても、押圧部によって天板の浴槽側端部と浴槽の外側面との当接状態を良好に維持することができる。
【００１４】
次に、本発明の浴室用カウンターを具体化した実施例１及び２について、図面を参照しつつ説明する。
【００１５】
＜実施例１＞
実施例１の浴室用カウンター５０は、図１に示すように、浴槽１０に連続した状態で浴室の壁部（以下、取付壁部Ｗ１という。）に取り付けられている。浴槽１０は、浴槽本体２０と、着脱自在な浴槽エプロン３０とを備えている。浴槽本体２０は、上端周縁に広がるフランジ部２１、及びフランジ部２１の洗い場側の外縁から垂下する垂下片部２２を有している。浴槽エプロン３０は、一枚の横長矩形状であり、浴槽本体２０の洗い場に面した側面部を覆うように、垂下片部２２の下端縁に連続して垂下している。この浴槽エプロン３０は着脱自在に取り付けられている。
【００１６】
浴室用カウンター５０は、図１及び図２に示すように、天板６０と、天板６０を支持するブラケット７０と、天板６０の下方に取り付けられたカバー部材８０とを有している。天板６０は、平面視で、浴槽１０の外側面から浴槽１０の外側面に対向する洗い場の壁部（以下、洗い場壁部Ｗ２という。）近傍まで延びた矩形状である。天板６０は、浴槽１０の外側面に当接する浴槽側端部６１の近傍であって、取付壁部Ｗ１に当接した壁側端部６６に沿って並んだ一対の貫通孔６８を設けている。これら貫通孔６８は、円形状であり、天板６０の上面に取り付ける図示しない水栓金具の湯の流入部及び水の流入部が挿入される。
【００１７】
天板６０は浴槽側端部６１から離れた位置に下方に凹設した凹部６２を有している。凹部６２の縁部６２Ａは、天板６０の手前側の端部（以下、手前側端部６３という。）から取付壁部Ｗ１方向に延びている。この縁部６２Ａは、円弧状に湾曲しながら取付壁部Ｗ１に近づき、さらに取付壁部Ｗ１に平行に延びて、天板６０の浴槽側端部６１の反対側の端部（以下、洗い場壁側端部６４という。）に至っている。凹部６２は、平面視で、取付壁部Ｗ１に沿った方向に延びた横長形状である。凹部６２は天板６０の手前側端部６３で開いている。この凹部６２は洗面器置きとして利用することができる。
【００１８】
天板６０は、図２に示すように、下面から下方に突出し、天板６０の長辺方向に延びる複数のリブ６９Ａと、天板６０の短辺方向に延びる複数のリブ６９Ｂとを有している。天板６０は、図５に示すように、天板６０の長辺方向に延びる複数のリブ６９Ａの浴槽側の端部が後述する第１ブラケット７１のストッパー部７１Ｂに当接する凸部６９を構成している。
【００１９】
天板６０は、図１、図４及び図５に示すように、浴槽本体２０の垂下片部２２の下端よりも上方であって、この垂下片部２２の外側面に浴槽側端部６１を当接するように取り付けられている。天板６０は、図２及び図４に示すように、後述する第２ブラケット７２に連結する連結部Ｊを下面に４か所設けている。各連結部Ｊは、第２ブラケット７２の載置部７５の上面に当接するように、天板６０の短辺方向に延びた複数のリブ６９Ｃが配置されている。また、各連結部Ｊは天板６０の短辺方向に離れた２か所に設けた一対のボルト孔Ｂを４組有している。このボルト孔Ｂは第２ブラケット７２の載置部７５と天板６０とを連結するための連結ボルトがねじ込まれる。
【００２０】
ブラケット７０は、天板６０の浴槽側を支持する第１ブラケット７１と、天板６０の中間部の２か所を支持する２個の第２ブラケット７２と、洗い場壁側端部６４を支持する第３ブラケット７３の３種類４個である。
【００２１】
第１ブラケット７１は、図３に示すように、取付部７４、載置部７５、及び補強部７６を有している。取付部７４は、矩形状の平板であり、取付壁部Ｗ１に取り付けるための固定ボルトを挿通する４つの貫通孔７４Ａが設けられている。第１ブラケット７１は取付部７４の裏面を取付壁部Ｗ１に当接して取り付けられる。載置部７５は、取付部７４の上端縁に連続して取付部７４に対して直角方向に延びた平板であり、天板６０を載置する。補強部７６は、取付部７４の前面を上下方向に延びており、さらに、載置部７５の下面を前後方向に延びた略Ｌ字状である。
【００２２】
載置部７５は浴槽１０側の端部が取付部７４の上端の一端部から延びている。この浴槽１０側の端部は、第１ブラケット７１を取付壁部Ｗ１に取り付けた状態で、浴槽１０の外側面に平行に配置される。載置部７５は浴槽１０側の端部を上方に折り曲げて立ち上げたストッパー部７１Ｂを有している。ストッパー部７１Ｂは第１ブラケット７１の上面よりわずかに上方に突出した細長形状である。
【００２３】
天板６０は、図５に示すように、天板６０の長辺方向に延びる複数のリブ６９Ａの浴槽側端部（天板６０の凸部６９）がストッパー部７１Ｂによって浴槽１０側に位置することなく取り付けられる。このため、天板６０の浴槽側端部６１と浴槽本体２０の垂下片部２２との当接部に過剰な応力が生じず、天板６０の浴槽側端部６１と垂下片部２２の外側面とを適切に当接した状態で天板６０を取り付けることができる。
【００２４】
第１ブラケット７１はストッパー部７１Ｂの一部を浴槽１０側に折り曲げて浴槽１０側に延びた位置決め部７１Ａを有している。つまり、位置決め部７１Ａは第１ブラケット７１の浴槽１０側の端部から浴槽１０側に延びている。位置決め部７１Ａは平面視で矩形状である。第１ブラケット７１は位置決め部７１Ａの先端の長辺部を浴槽本体２０の垂下片部２２の外側面（浴槽１０の外側面）に当接して浴槽１０の外側面から所定の位置に取り付けられる。
【００２５】
載置部７５は楕円形状の一対の貫通孔７５Ａを設けている。これら貫通孔７５Ａは、第１ブラケット７１を位置決め部７１Ａによって浴槽１０の外側面から所定の位置に取り付け、天板６０の浴槽側端部６１を浴槽本体２０の垂下片部２２の外側面に当接するように取り付けると、天板６０の一対の貫通孔６８の下方に配置される。このため、これら貫通孔７５Ａも天板６０の上面に取り付ける図示しない水栓金具の湯の流入部及び水の流入部が挿入される。
【００２６】
載置部７５は、第１ブラケット７１を取付壁部Ｗ１に取り付けた状態で、取付部７４から離れた先端部に取付壁部Ｗ１に沿った方向に延びた長孔７５Ｂを設けている。この長孔７５Ｂは、天板６０のボルト孔にねじ込む連結ボルトの軸部が挿通し、天板６０の長辺方向の位置ずれを吸収することができる。
【００２７】
載置部７５は浴槽１０側でない端部が取付部７４の上端の他端部から延びて中間部から浴槽１０側に折れ曲がって延びている。第１ブラケット７１は浴槽１０側でない端部を折り曲げて立ち上げた折曲部７５Ｃを有している。折曲部７５Ｃは第１ブラケット７１の上面よりわずかに上方に突出した細長形状である。
【００２８】
第２ブラケット７２は、図２及び図４に示すように、取付部７２Ａと載置部７２Ｂとを有しており、略Ｌ字形状である。取付部７２Ａと載置部７２Ｂは同じ幅を有している。取付部７２Ａは取付壁部Ｗ１に取り付けられ、固定ボルトが挿通する貫通孔７２Ｃを有している。この貫通孔７２Ｃは、円形の第１開口と、第１開口の上端から連続して上方に延びた縦長の第２開口とから構成されている。第１開口は内径が固定ボルトの頭部よりも大きい径である。第２開口は、横幅が固定ボルトの頭部の直径よりも小さく、固定ボルトの軸部の直径よりも大きい。
【００２９】
第２ブラケットの載置部７２Ｂは前後方向に離れた２か所に第１長孔７２Ｄが設けられている。この第１長孔７２Ｄは天板６０の螺子孔にねじ込む連結ボルトの軸部が挿通する。この第１長孔７２Ｄは載置部７２Ｂの幅方向に延びており、天板６０の長辺方向のずれを吸収することができる。
【００３０】
また、第２ブラケットの載置部７２Ｂは、前側の第１長孔７２Ｄよりも後方に第２長孔７２Ｅが設けられている。この第２長孔７２Ｅは後述する第２カバー部材８２の上端縁を螺子止めするのに利用される。この第２長孔７２Ｅも載置部７２Ｂの幅方向に延びており、第２カバー部材の長辺方向のずれを吸収することができる。
【００３１】
第３ブラケット７３は、取付壁部Ｗ１に当接して取付けられる第１取付部７３Ａと、洗い場壁部Ｗ２に当接して取り付けられる第２取付部７３Ｂと、載置部７３Ｃとを有している。第１取付部７３Ａと載置部７３Ｃは同じ幅を有している。載置部７３Ｃは天板６０の洗い場壁側端部６４を載置する。また、載置部７３Ｃの前端と第１取付部７３Ａの下端との間に形成された前面７３Ｄは後述する第２カバー部材８２の内面が当接するように形成されている。第３ブラケット７３の載置部７３Ｃの上面と前面は同じ幅の連続した面で形成されている。このため、第３ブラケット７３は天板６０の洗い場壁側端部６４と洗い場壁部Ｗ２との隙間を埋めるスペーサーとしての機能を有している。
【００３２】
カバー部材８０は、図１に示すように、上端縁が天板６０の手前側端部６３に連続し、下端縁が取付壁部Ｗ１に連続するように、天板６０の下方に取り付けられている。カバー部材８０は第１カバー部材８１と第２カバー部材８２の２つに分割されている。第１カバー部材８１は浴槽１０側に着脱自在に取り付けられている。第１カバー部材８１及び第２カバー部材８２は、上端縁が天板６０の手前側端部６３に螺子止めされ、下端縁が取付壁部Ｗ１に固定した固定部材８３に螺子止めされる（図２、図４及び図５参照）。
【００３３】
次に、このような構成を有する浴室用カウンター５０の取付方法を説明する。
【００３４】
先ず、第１ブラケット７１を浴槽本体２０の垂下片部２２の外側面から所定の位置に取り付ける第１工程を実行する。つまり、図２、図４及び図５に示すように、第１ブラケット７１の位置決め部７１Ａの先端の長辺部を浴槽本体２０の垂下片部２２の外側面に当接しつつ、取付部７４の裏面を取付壁部Ｗ１に当接して第１ブラケット７１の取り付け位置を確定する。そして、取付部７４に設けた４つの貫通孔７４Ａに固定ボルトを挿通して取付壁部Ｗ１にねじ込み、第１ブラケット７１を取り付ける。
【００３５】
次に、第３ブラケット７３の第１取付部７３Ａを取付壁部Ｗ１に当接させつつ、第２取付部７３Ｂを洗い場壁部Ｗ２に当接させて、第３ブラケットを取付壁部Ｗ１及び洗い場壁部Ｗ２に取り付ける。
【００３６】
次に、天板６０の長さに応じて選択された２つの連結部Ｊに対応する位置に第２ブラケット７２の載置部７５が位置するように、第２ブラケット７２を取り付ける。つまり、第２ブラケット７２の取付部７４の裏面を取付壁部Ｗ１の所定の位置に当接して貫通孔７２Ｃに固定ボルトを挿通して取付壁部Ｗ１にねじ込み、第２ブラケット７２を取り付ける。
【００３７】
各ブラケット７１、７２、７３を取付壁部Ｗ１等に取り付けた後、天板６０を各ブラケット７１、７２、７３の各載置部７５、７２Ｂ、７３Ｃに載置する。この際、天板６０の浴槽側端部６１を浴槽本体２０の垂下片部２２の外側面に当接しつつ、天板６０を各ブラケット７１、７２、７３の載置部７５、７２Ｂ、７３Ｃに固定ボルトによって固定する第２工程を実行する。
【００３８】
次に、第２カバー部材８２の上端縁を第２ブラケット７２の長孔７２Ｅに螺子止めし、下端縁を取付壁部Ｗ１に固定した固定部材８３に螺子止めし、第２カバー部材８２を天板６０の下方に取り付ける。その後、第１カバー部材８１の上端縁を天板６０の手前側端部６３に螺子止めし、下端縁を取付壁部Ｗ１に固定した固定金具に螺子止めし、第１カバー部材８１を天板６０の下方に取り付ける。これによって、浴室用カウンター５０の取り付けを終了する。
【００３９】
以上説明したように、実施例１の浴室用カウンター５０は、第１ブラケット７１に位置決め部７１Ａを有しているため、第１ブラケット７１を浴槽１０の外側面（浴槽本体２０の垂下片部２２の外側面）から所定の位置に容易に取り付けることができる。そして、天板６０の浴槽側端部６１を浴槽１０の外側面（浴槽本体２０の垂下片部２２の外側面）に当接しつつ所定の位置に取り付けた第１ブラケット７１に対して天板６０を載置しつつ容易に固定することができる。
【００４０】
したがって、実施例１の浴室用カウンター５０及びその取付方法は、浴室用カウンター５０を浴槽１０の外側面に連続した状態に容易に取り付けることができる。
【００４１】
＜実施例２＞
実施例２の浴室用カウンター１５０は、図６及び図７に示すように、第１ブラケット１７１の形態が実施例１と相違する。他の構成は、実施例１と同様であり、同一の構成は同一の符号を付し、詳細な説明を省略する。
【００４２】
この浴室用カウンター１５０の第１ブラケット１７１は、取付部１７４、載置部１７５、及び補強部１７６を有している。取付部１７４は、矩形状の平板であり、取付壁部Ｗ１に取り付けるための固定ボルトを挿通する４つの貫通孔１７４Ａが設けられている。第１ブラケット１７１は取付部１７４の裏面を取付壁部Ｗ１に当接して取り付けられる。載置部１７５は、取付部１７４の上端縁に連続して取付部１７４に対して直角方向に延びた平板であり、天板６０を載置する。補強部１７６は、第１ブラケット１７１を取付壁部Ｗ１に取り付けた状態で、浴槽１０側でない取付部１７４の端部及び浴槽１０側でない載置部１７５の端部に連結し、中間部から浴槽１０側に折れ曲がった平面で形成されている。
【００４３】
載置部１７５は、第１ブラケット１７１を取付壁部Ｗ１に取り付けた状態で、浴槽１０側の端部が取付部１７４の上端の浴槽１０側の端部から延びている。載置部１７５の浴槽１０側の端部は、第１ブラケット１７１を取付壁部Ｗ１に取り付けた状態で、浴槽１０の外側面に平行に配置される。
【００４４】
第１ブラケット１７１は載置部１７５の浴槽側端部６１から浴槽１０側に延びた位置決め部１７１Ａを有している。位置決め部１７１Ａは平面視で矩形状である。第１ブラケット１７１は位置決め部１７１Ａの先端の長辺部を浴槽本体２０の垂下片部２２の外側面（浴槽１０の外側面）に当接して浴槽１０の外側面から所定の位置に取り付けられる。
【００４５】
第１ブラケット１７１は載置部１７５の浴槽側端部６１に沿って立ち上がった３つの押圧部１７７を有している。これら押圧部１７７は、浴槽側端部６１に沿った直線状の立ち上げ辺部を一辺とする矩形状の残りの３辺を切り取り、立ち上げ辺部を折り曲げて形成している。押圧部１７７は、略くの字形状に屈曲しており、中間部が天板６０の短辺方向に延びたリブ６９Ｂに当接して天板６０を浴槽１０側に移動する方向に弾性力を付与することができる。
【００４６】
つまり、第１ブラケット１７１は、天板６０を載置部１７５上に載置する際に、天板６０の短辺方向に延びたリブ６９Ｂを押圧部１７７より浴槽１０側に嵌め込むことによって、押圧部１７７は天板６０の浴槽側端部６１を浴槽本体２０の垂下片部２２に当接させる方向に弾性力を付与する。
【００４７】
このため、押圧部１７７によって、天板６０の浴槽側端部６１を浴槽本体２０の垂下片部２２の外側面に確実に当接させることができる。また、仮に、天板６０が熱膨張で収縮したとしても、押圧部１７７によって天板６０の浴槽側端部６１と浴槽本体２０の垂下片部２２の外側面との当接状態を維持することができる。
【００４８】
このような構成を有する第１ブラケット１７１を備えた浴室用カウンター１５０の取付方法も実施例１の浴室用カウンター１５０と同様に、先ず、第１ブラケット１７１を浴槽本体２０の垂下片部２２の外側面から所定の位置に取り付ける第１工程を実行する。つまり、図７に示すように、第１ブラケット１７１の位置決め部１７１Ａの先端の長辺部を浴槽本体２０の垂下片部２２の外側面に当接しつつ、取付部１７４の裏面を取付壁部Ｗ１に当接して第１ブラケット１７１の取り付け位置を確定する。そして、取付部１７４に設けた４つの貫通孔に固定ボルトを挿通して取付壁部Ｗ１にねじ込み、第１ブラケット１７１を取り付ける。
【００４９】
そして、実施例１の浴室用カウンター５０と同様、第３ブラケット７３、第２ブラケット７２を取り付ける。各ブラケット１７１、１７２、１７３を取付壁部Ｗ１等に取り付けた後、天板６０を各ブラケット１７１、１７２、１７３の載置部１７５、７２Ｂ、７３Ｃに載置する。この際、天板６０の短辺方向に延びたリブ６９Ｂを押圧部１７７より浴槽１０側に嵌め込み、天板６０の浴槽側端部６１を浴槽本体２０の垂下片部２２の外側面に当接しつつ、天板６０を各ブラケット１７１、１７２、１７３の載置部１７５、７２Ｂ、７３Ｃに固定ボルトによって固定する第２工程を実行する。
【００５０】
次に、実施例１の浴室用カウンター５０と同様、第２カバー部材８２及び第１カバー部材８１を天板６０の下方に取り付ける。これによって、浴室用カウンター１５０の取り付けを終了する。
【００５１】
以上説明したように、実施例２の浴室用カウンター１５０は、第１ブラケット１７１に位置決め部１７１Ａを有しているため、第１ブラケット１７１を浴槽１０の外側面（浴槽本体２０の垂下片部２２の外側面）から所定の位置に容易に取り付けることができる。そして、天板６０の浴槽側端部６１を浴槽１０の外側面（浴槽本体２０の垂下片部２２の外側面）に当接しつつ所定の位置に取り付けた第１ブラケット１７１に対して天板６０を載置しつつ容易に固定することができる。
【００５２】
したがって、実施例２の浴室用カウンター１５０及びその取付方法は、浴室用カウンター１５０を浴槽１０の外側面に連続した状態に容易に取り付けることができる。
【００５３】
本発明は上記記述及び図面によって説明した実施例１及び２に限定されるものではなく、例えば次のような実施例も本発明の技術的範囲に含まれる。
（１）実施例１では、天板が下方に突出する凸部を有し、第１ブラケットが凸部に当接するストッパー部を有していたが、天板が凸部を有さず、第１ブラケットがストッパーを有していなくてもよい。
（２）実施例２では、第１ブラケットが押圧部を有していたが、押圧部を有していなくてもよい。
（３）実施例１及び２では、天板に凹部を設けたが、天板に凹部を設けなくてもよい。
（４）実施例１及び２では、浴室用カウンターがカバー部材を有していたが、浴室用カウンターはカバー部材を有さなくてもよい。
（５）実施例１及び２では、浴室用カウンターが浴槽の外側面から洗い場壁部の近傍まで延びていたが、浴室用カウンターは浴槽の外側面に当接していれば、洗い場壁部の近傍まで延びていなくてもよい。
（６）実施例１及び２では、第１ブラケットの位置決め部の先端の長辺部を浴槽本体の垂下片部の外側面に当接させていたが、第１ブラケットの位置決め部の先端の長辺部を浴槽エプロンに当接させるようにしてもよい。
【符号の説明】
【００５４】
１０…浴槽
５０、１５０…浴室用カウンター
６０…天板
６９…凸部
７１、１７１…第１ブラケット（ブラケット）
７１Ａ、１７１Ａ…位置決め部
７１Ｂ…ストッパー部
１７７…押圧部
Ｗ１…取付壁部（壁部）
【図１】
2014133068.tif 000003
【図２】
2014133068.tif 000004
【図３】
2014133068.tif 000005
【図４】
2014133068.tif 000006
【図５】
2014133068.tif 000007
【図６】
2014133068.tif 000008
【図７】
2014133068.tif 000009